(57)【要約】【課題】帰宅者が伝言を確認したことを伝言の登録者が確認可能なメッセージ再生システムを提供する。【解決手段】ＨＥＭＳ５０は、電気錠２８が帰宅者の電子キー４２によって解錠された後、帰宅者が屋内側から電気錠２８を再施錠する際に、モニター３８に登録された伝言を再生させると共に伝言の再生中はタッチセンサが設けられたドアノブへ４０の接触を継続する指示を表示させる。ＨＥＭＳ５０は、伝言の再生開始から所定時間の経過までタッチセンサが接触を検知した場合に、帰宅者が再生された伝言を確認したと判定し、判定結果を、伝言を登録したユーザの携帯情報端末６０に送信させる。【選択図】図１
2017005425.tif 000002
【特許請求の範囲】
【請求項１】
玄関に設けられ、ドア付近のユーザの存在を検知する検知手段と、
前記ドアの施錠及び解錠をする電気錠と、
前記ドアの屋内側に設けられ音声及び映像の少なくとも一方を再生する再生端末と、
前記電気錠がユーザの電子キーによって解錠された後、該ユーザが屋内側から前記電気錠を再施錠する際に、前記再生端末に登録された伝言を再生させると共に該伝言の再生中は前記ドア付近にとどまることを継続する指示を表示させ、該伝言の再生開始から所定時間の経過まで前記検知手段が前記ユーザがドア付近にとどまっていることを検知した場合に、前記ユーザが再生された伝言を確認したと判定し、該判定結果を、前記伝言を登録したユーザの携帯情報端末に送信させる制御部と、
を備えるメッセージ再生システム。
【請求項２】
前記検知手段は、ドアノブに設けられたタッチセンサであり、
前記制御部は、前記伝言の再生中は前記ドアノブへの接触を継続する指示を前記再生端末に表示させ、前記伝言の再生開始から所定時間の経過まで前記タッチセンサが接触を検知した場合に、前記ユーザが再生された伝言を確認したと判定する請求項１に記載のメッセージ再生システム。
【請求項３】
前記伝言は、ネットワークに接続された記憶装置に宛先であるユーザの識別情報と対応付けて登録され、
前記制御部は、該記憶装置から前記電気錠を解錠した電子キーの識別情報に対応付けられた前記伝言を取得する請求項１又は２に記載のメッセージ再生システム。
【請求項４】
前記制御部は、前記ユーザが再生された伝言を確認した判定結果を前記記憶装置に送信し、
前記記憶装置は、前記携帯情報端末に前記判定結果を送信する請求項３記載のメッセージ再生システム。
【請求項５】
前記ドアのドアノブは、ランプを含む報知装置を備え、
前記制御部は、前記電気錠を解錠したユーザに対する伝言が存在する場合には、前記電気錠が解錠された際に前記報知装置を動作させる請求項１〜４のいずれか１項に記載のメッセージ再生システム。
【発明の詳細な説明】
【技術分野】
【０００１】
本発明は、帰宅者に対して伝言（メッセージ）の再生を行うメッセージ再生システムに関する。
【背景技術】
【０００２】
システムに含まれるインターホンに、他の居住者に対する伝言を登録させておき、帰宅した他の居住者が、登録された伝言を再生して用件を伝達できる電気錠システムがある。特許文献１には、帰宅した居住者の識別情報に基づき、居住者毎に異なる伝言を再生できる電気錠システムが開示されている。
【先行技術文献】
【特許文献】
【０００３】
【特許文献１】特許４９４５３５６号公報
【発明の概要】
【発明が解決しようとする課題】
【０００４】
しかしながら、特許文献１に記載の電気錠システムは、玄関先のインターホンで帰宅した居住者に伝言を再生するが、帰宅者が伝言を確認したか否かを、伝言を登録した者が確認できないおそれがあった。
【０００５】
本発明は、上記事実を考慮して成されたもので、帰宅者が伝言を確認したことを伝言の登録者が確認可能なメッセージ再生システムを提供することを目的とする。
【課題を解決するための手段】
【０００６】
上記課題を解決するための第１の態様は、玄関に設けられ、ドア付近のユーザの存在を検知する検知手段と、前記ドアの施錠及び解錠をする電気錠と、前記ドアの屋内側に設けられ音声及び映像の少なくとも一方を再生する再生端末と、前記電気錠がユーザの電子キーによって解錠された後、該ユーザが屋内側から前記電気錠を再施錠する際に、前記再生端末に登録された伝言を再生させると共に該伝言の再生中は前記ドア付近にとどまることを継続する指示を表示させ、該伝言の再生開始から所定時間の経過まで前記検知手段が前記ユーザがドア付近にとどまっていることを検知した場合に、前記ユーザが再生された伝言を確認したと判定し、該判定結果を、前記伝言を登録したユーザの携帯情報端末に送信させる制御部と、を備える。
【０００７】
第１の態様によれば、帰宅者であるユーザが玄関のドアの電気錠を解錠した後、屋内側から再施錠する際に、帰宅者向けの伝言をドアの屋内側に設けられた再生端末で再生する。再生端末は、伝言の再生時に帰宅者に対してドア付近にとどまることを継続する指示を表示する。制御部は、伝言の再生開始から所定時間の経過まで検知手段が前記ユーザがドア付近にとどまっていることを検知した場合に、帰宅者が再生された伝言を確認したと判定する。
【０００８】
第２の形態は、前記検知手段は、ドアノブに設けられたタッチセンサであり、前記制御部は、前記伝言の再生中は前記ドアノブへの接触を継続する指示を前記再生端末に表示させ、前記伝言の再生開始から所定時間の経過まで前記タッチセンサが接触を検知した場合に、前記ユーザが再生された伝言を確認したと判定する。
【０００９】
第２の態様によれば、再生端末は、伝言の再生時に帰宅者に対してタッチセンサが設けられたドアノブへの接触を継続する指示を表示する。制御部は、タッチセンサへの接触が所定時間以上継続された場合に、帰宅者が再生された伝言を確認したと判定する。
【００１０】
第３の態様は、前記伝言は、ネットワークに接続された記憶装置に宛先であるユーザの識別情報と対応付けて登録され、前記制御部は、該記憶装置から前記電気錠を解錠した電子キーの識別情報に対応付けられた前記伝言を取得する。
【００１１】
第３の態様によれば、ユーザの識別情報に対応した伝言をネットワークを介して取得して再生端末で再生することができる。
【００１２】
第４の態様は、前記制御部は、前記ユーザが再生された伝言を確認した判定結果を前記記憶装置に送信し、前記記憶装置は、前記携帯情報端末に前記判定結果を送信する。
【００１３】
第４の態様によれば、帰宅者が伝言を確認したことを、ネットワークを介して、伝言の登録者の携帯情報端末に送信することができる。
【００１４】
第５の態様は、前記ドアのドアノブは、ランプを含む報知装置を備え、前記制御部は、前記電気錠を解錠したユーザに対する伝言が存在する場合には、前記電気錠が解錠された際に前記報知装置を動作させる。
【００１５】
第５の態様によれば、ランプが点灯する等の報知手段により、電気錠を解錠した帰宅者に対して、伝言が存在することを報知できる。
【発明の効果】
【００１６】
以上説明したように、本発明に係るメッセージ再生システムは、帰宅者が再生された伝言を確認したと判定した結果を、伝言の登録者の携帯情報端末に送信するので、帰宅者が伝言を確認したことを伝言の登録者が確認できる。
【図面の簡単な説明】
【００１７】
【図１】本発明の実施の形態に係るメッセージ再生システムを備えた建物の一例を示す概略図である。
【図２】本発明の実施の形態に係るメッセージ再生システム１０における伝言再生時のモニターの表示の一例を示した概略図である。
【図３】本発明の実施の形態に係るメッセージ再生システムにおける伝言再生が終了した時のモニターの表示の一例を示した概略図である。
【図４】本発明の実施の形態に係るメッセージ再生システムにおけるＨＥＭＳの概略構成を示すブロック図である。
【図５】本発明の実施の形態に係るメッセージ再生システムの処理の一例を示したフローチャートである。
【発明を実施するための形態】
【００１８】
以下、図面を参照して本発明の実施の形態の一例を詳細に説明する。図１は、本発明の実施の形態に係るメッセージ再生システム１０を備えた建物１００の一例を示す概略図である。図１に示したように、メッセージ再生システム１０は、玄関３０の玄関ドア３２に設けられた電気錠２８、玄関ドア屋外側３２Ａに設けられたインターホン用のカメラ３４、及び玄関ドア屋内側３２Ｂに設けられたモニター３８を備え、電気錠２８、カメラ３４、及びモニター３８は、建物１００の電力供給を管理すると共に、建物１００内の機器の制御が可能なＨＥＭＳ（Home Energy Management System）５０に各々接続されている。
【００１９】
ＨＥＭＳ５０は、玄関３０の玄関ドア３２に設けられた電気錠２８を制御する。電気錠２８は、電動のアクチュエータ（図示せず）の動力により施錠及び解錠が可能な錠前であり、施錠及び解錠の操作は、ユーザである居住者等の識別情報であるＩＤ情報を記憶し、当該ＩＤ情報を玄関ドア３２に設けられた電気錠２８の通信部からの通信を契機に無線通信により電気錠に送信する電子キー４２を用いて行われる。
【００２０】
本実施の形態に係る電気錠２８は、玄関ドア屋外側３２Ａのドアノブ３６にタッチセンサが内蔵されており、電子キー４２がユーザのＩＤ情報を送信している状態で、電子キー４２を所持したユーザがドアノブ３６に触れると施錠又は解錠が行われる。例えば、電気錠２８が施錠されている状態で、電子キー４２を所持したユーザがドアノブ３６に触れると、電気錠２８は解錠される。また、電気錠２８が解錠されている状態で、電子キー４２を所持したユーザがドアノブ３６に触れると、電気錠２８は施錠される。タッチセンサは、例えば、静電容量タッチセンサである。
【００２１】
ＨＥＭＳ５０は、電気錠２８が電子キー４２から受信したＩＤ情報が、登録されている居住者等のユーザに該当する場合に、電気錠２８の施錠及び解錠を行う。また、ＨＥＭＳ５０は、ネットワーク７０を介してクラウドサーバ８０に接続されている。
【００２２】
また、ドアノブ３６には、帰宅してきたユーザ（以下、「帰宅者」と称する）に伝言の存在を報知するためのランプ３６Ａ及びバイブレータ３６Ｂが設けられている。ランプ３６Ａは、ＬＥＤ（発光ダイオード）等であり、電気錠２８を解錠した帰宅者に伝言が存在する場合は、電気錠２８が解錠された後、一定時間点灯する。また、バイブレータ３６Ｂは、電気錠２８を解錠するために帰宅者がドアノブに触れている間、振動することにより、電気錠２８を解錠した帰宅者に伝言が存在することを報知する。なお、電気錠２８を解錠した帰宅者の識別は、電子キー４２から送信されているＩＤ情報に基づいて行われる。
【００２３】
玄関ドア屋内側３２Ｂにはモニター３８が備えられている。モニター３８は、電気錠２８を解錠した帰宅者に伝言が存在する場合には、伝言の内容を表示する。モニター３８は、液晶ディスプレイ、プラズマディスプレイ又は有機ＥＬディスプレイであり、映像及び文字情報を表示する。また、モニター３８には音声を再生するためのスピーカ（図示せず）も設けられており、音声及び映像の少なくとも一方を再生することが可能である。
【００２４】
玄関ドア屋内側３２Ｂのドアノブ４０にもタッチセンサ（図示せず）が設けられている。本実施の形態に係る電気錠２８では、電気錠２８が解錠された状態で、電子キー４２を所持した帰宅者がドアノブ４０に触れると、電気錠２８が施錠される。また、電気錠２８が施錠されている状態で、電子キー４２を所持したユーザがドアノブ３６に触れると、電気錠２８は解錠される。また、本実施の形態では、玄関ドア３２の屋内側に人感センサ（図示せず）を別途備える。人感センサは、例えば、人体からの赤外線を検知する赤外線センサ、又は超音波を出力し、人体によって反射された超音波を受信して人体を検知する超音波センサ等が用いられる。
【００２５】
モニター３８で伝言が再生されている間は、帰宅者はドアノブ４０に触れ続けることが励行される。後述するように、本実施の形態では、伝言の再生が終了するまで帰宅者がドアノブ４０に触れていることを検知した場合に、帰宅者が伝言の内容を確認したと推定する。また、タッチセンサではなく、人感センサを用いた場合には、伝言の再生が終了するまで人感センサが帰宅者を検知した場合に、帰宅者が伝言の内容を確認したと推定する。
【００２６】
ＨＥＭＳ５０は、ネットワーク７０を介してクラウドサーバ８０に接続されている。クラウドサーバ８０は、帰宅者以外の居住者等が携帯情報端末６０を用いて送信してきた伝言を、ネットワーク７０を介して受信し、登録する。クラウドサーバ８０に送信する伝言は、伝言である映像、音声データ又は文字情報に加えて、送信者であるユーザのＩＤ情報及び伝言の受信者である帰宅者のＩＤ情報を含む。送信者及び受信者の各々のＩＤ情報は、携帯情報端末６０から直接タイプしてもよいが、伝言送信用の専用アプリ等を用いることにより、伝言の送信作業を簡略化することが望ましい。
【００２７】
例えば、携帯情報端末６０に、建物１００の居住者等のユーザの氏名及びＩＤ情報等を予め記憶しておき、上述の専用アプリを起動すると、記憶しているユーザのリストが携帯情報端末６０の画面に表示され、表示されたリストから選択したユーザ（複数同時選択可）に対する伝言をクラウドサーバ８０に登録できるようにしてもよい。
【００２８】
クラウドサーバでは、専用アプリを用いて送信されてきた伝言から送信者のＩＤ情報及び受信者のＩＤ情報を抽出して、伝言の映像、音声データ又は文字情報と対応付けて登録する。なお、伝言は、ＨＥＭＳ５０の入力部からＨＥＭＳ５０の記憶装置に記憶してもよいし、ＨＥＭＳ５０からネットワーク７０を介してクラウドサーバ８０に登録してもよい。
【００２９】
ＨＥＭＳ５０は、伝言を受け取る帰宅者が電気錠２８を解錠した際に、クラウドサーバ８０に登録されている伝言を、ネットワーク７０を介して取得し、玄関ドア屋内側３２Ｂのモニター３８で再生する。帰宅者の伝言の有無は、帰宅者が所持している電子キー４２から送信されている信号に含まれるＩＤ情報に対応した伝言がクラウドサーバ８０に存在するか否かによって判定する。
【００３０】
図２は、本実施の形態に係るメッセージ再生システム１０における伝言再生時のモニター３８の表示の一例を示した概略図である。モニター３８の画面には、映像とともにメッセージ本文が表示され、音声データが付帯する場合には音声も再生される。また、モニター３８の画面の下部には、「メッセージが再生されている間は、ドアノブに触れたままでお待ちください」という指示が表示される。本実施の形態では、帰宅者は、モニター３８の画面の下部に表示された指示に従い、ドアノブ４０に触れ続けることを要する。タッチセンサではなく、人感センサを用いた場合には、モニター３８の画面の下部には、「メッセージが再生されている間は、ドア付近で待機してください」という指示が表示される。
【００３１】
図３は、本実施の形態に係るメッセージ再生システム１０における伝言再生が終了した時のモニター３８の表示の一例を示した概略図である。伝言の再生が終了したことを示す表示がされると共に、モニター３８の画面の下部には、帰宅者がドアノブから手等を離してもよいことが表示される。本実施の形態では、ＨＥＭＳ５０は、図３の表示がなされた後に、帰宅者がドアノブ４０との接触をやめたことをドアノブ４０に内蔵されたタッチセンサによって検知することにより、帰宅者が伝言の内容を確認したと判定する。タッチセンサではなく、人感センサを用いた場合には、モニター３８の画面の下部には、帰宅者がドア付近から立ち去ってもよいことが表示される。
【００３２】
伝言の再生を開始してから、図３に示した帰宅者がドアノブ４０から手等を離してもよい指示が表示されるまでの時間は、伝言の再生に要する時間に一定時間を加算した所定時間が経過した後である。かかる場合での一定時間は、一例として５〜１０秒である。また、伝言が文字情報のみの場合には、当該文字情報の文字数に応じた時間に、前述の一定時間を加算した時間を所定時間とする。例えば、１文字につき０．５秒とし、この０．５秒に伝言の文字数を乗算して得た時間に、上述の一定時間を加算した時間を所定時間とする。
【００３３】
また、ＨＥＭＳ５０は、所定時間が経過する前に帰宅者がドアノブ４０に触れなくなった場合には、帰宅者は伝言を最後まで確認していないと判定する。
【００３４】
帰宅者が伝言を確認したか否かの判定結果は、ＨＥＭＳ５０からネットワーク７０を介してクラウドサーバ８０に送信され、クラウドサーバ８０に登録される。クラウドサーバ８０に登録された判定結果は、電子メール等を用いて伝言をクラウドサーバ８０に登録したユーザの携帯情報端末６０に送信される。
【００３５】
図４は、本実施の形態に係るメッセージ再生システム１０におけるＨＥＭＳ５０の概略構成を示すブロック図である。ＨＥＭＳ５０は、ＣＰＵ（Central Processing Unit）１２と、ＨＤＤ（Hard Disk Drive）１４と、ＲＡＭ（Random Access Memory）１６と、ネットワークＩ／Ｆ部１８と、ＲＯＭ（Read Only Memory）２０とを含む。また、ＨＥＭＳ５０は表示部２２と、操作入力部２４と、バス２６とを含んでおり、情報を入力する端末と情報を表示する端末との機能を有している。
【００３６】
ＣＰＵ１２は、ＨＥＭＳ５０の全体の動作を司るものである。ＨＤＤ１４はモニター３８の制御のプログラム、認証のプログラム、電気錠２８の制御のプログラム、クラウドサーバ８０との通信プログラム、ＯＳ（Operating System）及び各プログラムの実行に供するデータ等が記録される不揮発性の記憶装置である。また、ＨＤＤ１４には、登録者である居住者等のユーザの識別情報等も記憶される。ＲＡＭ１６は、ＯＳ、プログラム又はデータが展開される揮発性の記憶装置である。ネットワークＩ／Ｆ部１８は、ネットワーク７０に接続するためのものであり、ＮＩＣ（Network Interface Card）やそのドライバで構成される。ＲＯＭ２０は、ＨＥＭＳ５０の起動時に動作するブートプログラムなどが記憶されている不揮発性の記憶装置である。表示部２２は、メッセージ再生システム１０に関する情報をユーザに表示するものである。操作入力部２４は、ユーザがメッセージ再生システム１０の操作や情報を入力する際に用いられるものであり、一例としてタッチパネル、キーボード等の入力装置及びトラックボール、ペンタブレット若しくはマウス等のポインティングデバイス、さらには音声入力用のマイクロホンが含まれる。バス２６は、情報のやりとりが行われる際に使用される。
【００３７】
図５は、本実施の形態に係るメッセージ再生システム１０の処理の一例を示したフローチャートである。ステップ３００で帰宅者が玄関３０の玄関ドア３２の電気錠２８を電子キー４２を用いて解錠したことにより、帰宅者が玄関３０の屋内側に入ったことを推定する。
【００３８】
ステップ３０２では、クラウドサーバ８０に問い合わせて、帰宅者に伝言があるか否かを判定し、肯定判定の場合には、ステップ３０４で、ドアノブ３６のランプ３６Ａを点灯させるとともに、バイブレータ３６Ｂを作動させる。
【００３９】
ステップ３０６では、帰宅者が玄関ドア屋内側３２Ｂのドアノブ４０に触れて電気錠２８を施錠していることを検知した場合に、帰宅者が玄関ドア３２を開閉して屋内側に入ったと肯定判定する。ステップ３０６で肯定判定の場合には、ステップ３０８で、玄関ドア屋内側３２Ｂに設けられたモニター３８で伝言を再生する。
【００４０】
ステップ３１０では、帰宅者が所定時間以上ドアノブ４０に触れているか否かを検知し、帰宅者によるドアノブ４０への接触が所定時間以上の場合には、帰宅者は伝言を確認したと推定する肯定判定をする。ステップ３１０で肯定判定の場合には、ステップ３１２で、判定結果をＨＥＭＳ５０のＨＤＤ１４に記憶すると共に、当該判定結果をクラウドサーバ８０に送信して処理を終了する。
【００４１】
なお、ステップ３０２，３０６，３１０で否定判定の場合には、処理を終了するが、帰宅者が伝言を確認していないことをクラウドサーバ８０に送信し、クラウドサーバ８０から伝言を登録したユーザの携帯情報端末６０に、帰宅者が伝言を確認していないことを示すメールを送信するようにしてもよい。
【００４２】
以上説明したように、本実施の形態によれば、帰宅者が玄関３０の電気錠２８を解錠した後、玄関３０のモニター３８で再生された伝言を確認したか否かを、ドアノブ４０から手等を離したタイミングで判定している。ドアノブ４０から手等を離すタイミングが所定時間経過後であれば、帰宅者は伝言を確認したと判定する。当該判定結果は、クラウドサーバ８０を介して伝言の登録者の携帯情報端末６０に送信されるので、帰宅者が伝言を確認したことを伝言の登録者が確認することが可能となる。
【００４３】
本実施の形態では、モニター３８に帰宅者の声を検知するマイクロホンを設けてもよい。また、ＨＥＭＳ５０は音声認識機能を有し、モニター３８のマイクロホンが検知した帰宅者の「ＯＫ」、「分かった」等の声に基づいて応答確認をするようにしてもよい。
【００４４】
なお、本実施の形態のＨＥＭＳ５０は、特許請求の範囲に記載の制御部に相当する。本実施の形態のモニター３８は、特許請求の範囲に記載の再生端末に相当する。また、本実施の形態のクラウドサーバ８０は、特許請求の範囲に記載の記憶装置に相当する。
【符号の説明】
【００４５】
１０   メッセージ再生システム
１２   ＣＰＵ
１４   ＨＤＤ
１６   ＲＡＭ
１８   ネットワークＩ／Ｆ部
２０   ＲＯＭ
２２   表示部
２４   操作入力部
２６   バス
２８   電気錠
３０   玄関
３２   玄関ドア
３２Ａ 玄関ドア屋外側
３２Ｂ 玄関ドア屋内側
３６   ドアノブ
３６Ａ ランプ
３６Ｂ バイブレータ
３８   モニター
４０   ドアノブ
４２   電子キー
６０   携帯情報端末
７０   ネットワーク
８０   クラウドサーバ
１００ 建物
【図１】
2017005425.tif 000003
【図２】
2017005425.tif 000004
【図３】
2017005425.tif 000005
【図４】
2017005425.tif 000006
【図５】
2017005425.tif 000007